(57)【要約】【課題】表裏を揃える作業を要することなく、投票用紙の種別を識別することができる。【解決手段】投票用紙の候補者記入欄上から透過画像情報を取得する透過画像情報取得部２３と、投票用紙種別毎に、投票用紙面側に表れるべき文字パターン及び／又は投票用紙裏面側に表れるべき逆さ文字パターンを予め記憶したパターン記憶部２４Ａと、透過画像情報の文字認識結果内に文字パターンがある場合、文字パターンに基づき、その投票用紙種別を識別すると共に、透過画像情報の文字認識結果内に逆さ文字パターンがある場合、逆さ文字パターンに基づき、その投票用紙種別を識別する投票用紙種別識別２５Ａとを有している。【選択図】図４
2010122744.tif 000002
【特許請求の範囲】
【請求項１】
紙葉類の表面及び裏面の内、一方の面の紙葉類面上から透過画像情報を取得する透過画像情報取得手段と、
前記紙葉類の種別毎に、前記紙葉類表面側に表れるべき紙葉類情報の紙葉類表面情報及び／又は前記紙葉類裏面側に表れるべき前記紙葉類情報の紙葉類裏面情報を予め記憶した紙葉類情報記憶手段と、
前記透過画像情報取得手段にて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得手段にて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別手段と
を有することを特徴とする紙葉類処理装置。
【請求項２】
前記紙葉類種別識別手段は、
前記紙葉類の透過画像情報を文字認識する文字認識手段を有し、
前記文字認識手段の文字認識結果が前記紙葉類表面情報に近似する場合、前記紙葉類の透過画像情報内に前記紙葉類表面情報があると判断すると共に、前記文字認識手段の前記文字認識結果が前記紙葉類裏面情報に近似する場合、前記紙葉類の透過画像情報内に前記紙葉類裏面情報があると判断することを特徴とする請求項１記載の紙葉類処理装置。
【請求項３】
前記紙葉類情報は、
前記紙葉類表面側に記載する所定文字に相当すると共に、
前記紙葉類表面情報は、
前記紙葉類表面側に表れるべき前記所定文字に関わる文字情報に相当すると共に、
前記紙葉類裏面情報は、
前記紙葉類裏面側に表れるべき前記所定文字の逆さ文字に関わる逆さ文字情報に相当し、
前記紙葉類種別識別手段は、
前記透過画像情報取得手段にて取得した前記透過画像情報内に前記紙葉類情報記憶手段に記憶中の前記文字情報がある場合、前記文字情報に基づき、その紙葉類の種別を識別すると共に、前記透過画像情報取得手段にて取得した前記透過画像情報内に前記紙葉類情報記憶手段に記憶中の前記逆さ文字情報がある場合、前記逆さ文字情報に基づき、その紙葉類の種別を識別することを特徴とする請求項１又は２記載の紙葉類処理装置。
【請求項４】
前記紙葉類を一枚単位で搬送する搬送手段と、
前記紙葉類の種別毎に、前記搬送手段で搬送する前記紙葉類を分類集積する複数の集積手段と、
前記紙葉類種別識別手段にて識別した前記紙葉類の種別に応じて、その紙葉類の種別に対応する前記集積手段に前記紙葉類を分類集積すべく、前記搬送手段を駆動制御する駆動制御手段と
を有することを特徴とする請求項３記載の紙葉類処理装置。
【請求項５】
前記駆動制御手段は、
同一種別の紙葉類の内、前記文字情報に基づき識別した紙葉類と、前記逆さ文字情報に基づき識別した紙葉類とを異なる集積手段に分類集積すべく、前記搬送手段を駆動制御することを特徴とする請求項４記載の紙葉類処理装置。
【請求項６】
紙葉類の種別毎に、前記紙葉類表面側に表れるべき紙葉類情報の紙葉類表面情報及び／又は前記紙葉類裏面側に表れるべき前記紙葉類情報の紙葉類裏面情報を紙葉類情報記憶手段に予め記憶する記憶ステップと、
前記紙葉類面上から透過画像情報を取得する透過画像情報取得ステップと、
前記透過画像情報取得ステップにて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得ステップにて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別ステップと
を含むことを特徴とする紙葉類処理方法。
【請求項７】
紙葉類の種別毎に、前記紙葉類表面側に表れるべき紙葉類情報の紙葉類表面情報及び／又は前記紙葉類裏面側に表れるべき前記紙葉類情報の紙葉類裏面情報を紙葉類情報記憶手段に予め記憶する記憶手順と、
前記紙葉類面上から透過画像情報を取得する透過画像情報取得手順と、
前記透過画像情報取得手順にて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得手順にて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別手順と
を含む処理プログラムをコンピュータ装置に実行させることを特徴とする紙葉類処理プログラム。
【発明の詳細な説明】
【技術分野】
【０００１】
本発明は、例えば、投票用紙や商品券等の紙葉類の種別を識別する機能を備えた紙葉類処理装置、紙葉類処理方法及び紙葉類処理プログラムに関する。
【背景技術】
【０００２】
従来、例えば、投票用紙や商品券等の紙葉類の種別を識別する機能を備えた紙葉類処理装置等の紙葉類集積分類装置としては、複数の紙葉類をセットし、これら複数の紙葉類から一枚単位で紙葉類を搬送する搬送部と、紙葉類の種別を識別する識別情報を含む紙葉類の表面画像を搬送路上で取得する片面センサとを備え、この片面センサにて取得した紙葉類の表面画像内の識別情報に基づき紙葉類の種別を識別し、その識別した紙葉類の種別に応じて、その紙葉類を分類集積するものである(例えば、特許文献１参照)。
【０００３】
このような紙葉類集積分類装置として、例えば、投票用紙を集計する投票用紙集計装置が知られている。
【０００４】
このような投票用紙集計装置では、搬送部で搬送した投票用紙から、その投票用紙表面の候補者記入欄を含む投票用紙の表面画像を片面センサにて取得し、その投票用紙の表面画像内の識別情報に基づき投票用紙の種別、例えば、候補者名を識別し、その識別した候補者名に応じて、その投票用紙を分類集積すると共に、その候補者名の票数を集計することになる。
【０００５】
【特許文献１】特開２００７−３３４７７３号公報
【発明の開示】
【発明が解決しようとする課題】
【０００６】
しかしながら、上記従来の紙葉類処理装置では、紙葉類の表面画像を取得する片面センサを配置するようにしたが、紙葉類の種別を識別する識別情報が紙葉類表面にしか表れない場合、その紙葉類が裏返しのまま搬送されると、その紙葉類の裏面画像は取得できるものの、必要な表面情報は取得することができず、紙葉類種別を識別できないことは勿論のこと、紙葉類を分類集積することもできない。
【０００７】
また、紙葉類処理装置としての投票用紙集計装置では、投票用紙が裏返しのまま搬送されると、その投票用紙表面の候補者記入欄を含む投票用紙の表面画像を取得することができないため、投票用紙の種別、例えば、候補者名を識別できず、しかも、その投票用紙を分類集積できないことは勿論のこと、その候補者名の票数を集計することもできない。
【０００８】
そこで、上記従来の紙葉類処理装置では、紙葉類を投入する際、その紙葉類の表裏を揃える作業が必要なため、その作業に要する作業者の負担は極めて大きい。
【０００９】
また、上記従来の紙葉類処理装置では、紙葉類が裏返しのまま搬送されたとしても、その紙葉類の表面画像を取得できるように両面センサを配置することも考えられるが、両面センサは片面のみならず、両面に高価な受光素子を要することになるため、部品コストの増大は勿論のこと、その処理負担の増大にも繋がる。
【００１０】
そこで、本発明は上記点に鑑みてなされたものであり、その目的とするところは、紙葉類の表裏を揃える作業を要することなく、しかも、部品コストの抑制及び処理負担の軽減を図りながら、紙葉類の種別を識別することができる紙葉類処理装置、紙葉類処理方法及び紙葉類処理プログラムを提供することにある。
【課題を解決するための手段】
【００１１】
上記目的を達成するために本願請求項１記載の紙葉類処理装置は、紙葉類の表面及び裏面の内、一方の面の紙葉類面上から透過画像情報を取得する透過画像情報取得手段と、前記紙葉類の種別毎に、前記紙葉類表面側に表れるべき紙葉類情報の紙葉類表面情報及び／又は前記紙葉類裏面側に表れるべき前記紙葉類情報の紙葉類裏面情報を予め記憶した紙葉類情報記憶手段と、前記透過画像情報取得手段にて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得手段にて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別手段とを有するようにした。
【００１２】
また、本願請求項２記載の紙葉類処理装置は、本願請求項１記載の構成において、前記紙葉類種別識別手段は、前記紙葉類の透過画像情報を文字認識する文字認識手段を有し、前記文字認識手段の文字認識結果が前記紙葉類表面情報に近似する場合、前記紙葉類の透過画像情報内に前記紙葉類表面情報があると判断すると共に、前記文字認識手段の前記文字認識結果が前記紙葉類裏面情報に近似する場合、前記紙葉類の透過画像情報内に前記紙葉類裏面情報があると判断するようにした。
【００１３】
また、本願請求項３記載の紙葉類処理装置は、本願請求項１又は２記載の構成において、前記紙葉類情報は、前記紙葉類表面側に記載する所定文字に相当すると共に、前記紙葉類表面情報は、前記紙葉類表面側に表れるべき前記所定文字に関わる文字情報に相当すると共に、前記紙葉類裏面情報は、前記紙葉類裏面側に表れるべき前記所定文字の逆さ文字に関わる逆さ文字情報に相当し、前記紙葉類種別識別手段は、前記透過画像情報取得手段にて取得した前記透過画像情報内に前記紙葉類情報記憶手段に記憶中の前記文字情報がある場合、前記文字情報に基づき、その紙葉類の種別を識別すると共に、前記透過画像情報取得手段にて取得した前記透過画像情報内に前記紙葉類情報記憶手段に記憶中の前記逆さ文字情報がある場合、前記逆さ文字情報に基づき、その紙葉類の種別を識別するようにした。
【００１４】
また、本願請求項４記載の紙葉類処理装置は、本願請求項３記載の構成において、前記紙葉類を一枚単位で搬送する搬送手段と、前記紙葉類の種別毎に、前記搬送手段で搬送する前記紙葉類を分類集積する複数の集積手段と、前記紙葉類種別識別手段にて識別した前記紙葉類の種別に応じて、その紙葉類の種別に対応する前記集積手段に前記紙葉類を分類集積すべく、前記搬送手段を駆動制御する駆動制御手段とを有するようにした。
【００１５】
また、本願請求項５記載の紙葉類処理装置は、本願請求項４記載の構成において、前記駆動制御手段は、同一種別の紙葉類の内、前記文字情報に基づき識別した紙葉類と、前記逆さ文字情報に基づき識別した紙葉類とを異なる集積手段に分類集積すべく、前記搬送手段を駆動制御するようにした。
【００１６】
また、上記目的を達成するために本願請求項６記載の紙葉類処理方法は、紙葉類の種別毎に、前記紙葉類表面側に表れるべき紙葉類情報の紙葉類表面情報及び／又は前記紙葉類裏面側に表れるべき前記紙葉類情報の紙葉類裏面情報を紙葉類情報記憶手段に予め記憶する記憶ステップと、前記紙葉類面上から透過画像情報を取得する透過画像情報取得ステップと、前記透過画像情報取得ステップにて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得ステップにて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別ステップとを含むようにした。
【００１７】
また、上記目的を達成するために本願請求項７記載の紙葉類処理プログラムは、紙葉類の種別毎に、前記紙葉類表面側に表れるべき紙葉類情報の紙葉類表面情報及び／又は前記紙葉類裏面側に表れるべき前記紙葉類情報の紙葉類裏面情報を紙葉類情報記憶手段に予め記憶する記憶手順と、前記紙葉類面上から透過画像情報を取得する透過画像情報取得手順と、前記透過画像情報取得手順にて取得した前記紙葉類の透過画像情報内に前記紙葉類情報記憶手段に記憶中の前記紙葉類表面情報がある場合、前記紙葉類表面情報に基づき、その紙葉類の種別を識別すると共に、前記透過画像情報取得手順にて取得した前記紙葉類の透過画像情報内に前記紙葉類情報記憶手段に記憶中の前記紙葉類裏面情報がある場合、前記紙葉類裏面情報に基づき、その紙葉類の種別を識別する紙葉類種別識別手順と含む処理プログラムをコンピュータ装置に実行させるようにした。
【発明の効果】
【００１８】
上記のように構成された本願請求項１記載の紙葉類処理装置では、前記紙葉類の透過画像情報内に前記紙葉類表面情報がある場合、前記紙葉類表面情報に基づき、その紙葉類の種別を識別すると共に、前記紙葉類の透過画像情報内に前記紙葉類裏面情報がある場合、前記紙葉類裏面情報に基づき、その紙葉類の種別を識別するようにしたので、紙葉類の表裏を揃える作業を要することなく、しかも、部品コストの抑制及び処理負担の軽減を図りながら、透過画像情報から紙葉類の種別を識別することができるという効果を奏する。
【００１９】
また、本願請求項１記載の紙葉類処理装置では、前記紙葉類の表面及び裏面の内、一方の面の紙葉類面上から透過画像情報を取得するようにしたので、両面センサに比較して、部品コストの大幅低減及び処理負担の軽減を図ることができるという効果を奏する。
【００２０】
また、本願請求項２記載の紙葉類処理装置では、本願請求項１記載の効果に加えて、前記文字認識手段の文字認識結果が前記紙葉類表面情報に近似する場合、前記紙葉類の透過画像情報内に前記紙葉類表面情報があると判断すると共に、前記文字認識手段の前記文字認識結果が前記紙葉類裏面情報に近似する場合、前記紙葉類の透過画像情報内に前記紙葉類裏面情報があると判断するようにしたので、透過画像情報の文字認識結果から紙葉類の種別を識別することができるという効果を奏する。
【００２１】
また、本願請求項３記載の紙葉類処理装置では、本願請求項１又は２記載の効果に加えて、前記透過画像情報内に前記文字情報がある場合、前記文字情報に基づき、その紙葉類の種別を識別すると共に、前記透過画像情報内に前記逆さ文字情報がある場合、前記逆さ文字情報に基づき、その紙葉類の種別を識別するようにしたので、紙葉類の表裏を揃える作業を要することなく、しかも、部品コストの抑制及び処理負担の軽減を図りながら、透過画像情報の文字情報又は逆さ文字情報から紙葉類の種別を識別することができるという効果を奏する。
【００２２】
また、本願請求項４記載の紙葉類処理装置では、本願請求項３記載の効果に加えて、紙葉類種別識別手段にて識別した紙葉類の種別に応じて、その紙葉類の種別に対応する集積手段に紙葉類を分類集積すべく、搬送手段を駆動制御するようにしたので、紙葉類の種別に応じて分類集積することができるという効果を奏する。
【００２３】
また、本願請求項５記載の紙葉類処理装置では、本願請求項４記載の効果に加えて、同一種別の紙葉類の内、前記文字情報に基づき識別した紙葉類と、前記逆さ文字情報に基づき識別した紙葉類とを異なる集積手段に分類集積すべく、前記搬送手段を駆動制御するようにしたので、同一種別の紙葉類の内、文字情報に基づき識別した紙葉類と、逆さ文字情報に基づき識別した紙葉類とに分別することで、同一種別の紙葉類に関する表裏分別点検の作業負担を軽減することができるという効果を奏する。
【００２４】
また、上記のように構成された本願請求項６記載の紙葉類処理方法では、前記紙葉類の透過画像情報内に前記紙葉類表面情報がある場合、前記紙葉類表面情報に基づき、その紙葉類の種別を識別すると共に、前記紙葉類の透過画像情報内に前記紙葉類裏面情報がある場合、前記紙葉類裏面情報に基づき、その紙葉類の種別を識別するようにしたので、紙葉類の表裏を揃える作業を要することなく、しかも、部品コストの抑制及び処理負担の軽減を図りながら、透過画像情報から紙葉類の種別を識別することができるという効果を奏する。
【００２５】
また、上記のように構成された本願請求項７記載の紙葉類処理プログラムでは、前記紙葉類の透過画像情報内に前記紙葉類表面情報がある場合、前記紙葉類表面情報に基づき、その紙葉類の種別を識別すると共に、前記紙葉類の透過画像情報内に前記紙葉類裏面情報がある場合、前記紙葉類裏面情報に基づき、その紙葉類の種別を識別するようにしたので、紙葉類の表裏を揃える作業を要することなく、しかも、部品コストの抑制及び処理負担の軽減を図りながら、透過画像情報から紙葉類の種別を識別することができるという効果を奏する。
【発明を実施するための最良の形態】
【００２６】
以下、図面に基づき本発明の紙葉類処理装置、紙葉類処理方法及び紙葉類処理プログラムに関わる投票用紙集計システムの実施例について詳細に説明する。
【００２７】
まず、本実施例の概要について説明するとすれば、その概要は、投票用紙の候補者記入欄の透過画像情報を取得し、透過画像情報内に候補者名の文字がある場合、その投票用紙の候補者名を識別すると共に、透過画像情報内に候補者名の逆さ文字がある場合、その投票用紙の候補者名を識別する。
【００２８】
さらに、本実施例では、投票用紙の候補者名を識別すると、その投票用紙を候補者の票と判断し、その候補者に対応するスタッカに投票用紙を分類集積すると共に、その候補者の票数を集計する。
【００２９】
その結果、本実施例では、投票用紙の表裏を揃える作業を要することなく、しかも、部品コストの抑制及び処理負担の軽減を図りながら、投票用紙が裏返しのまま搬送されたとしても、透過画像情報から投票用紙の種別を識別し、その投票用紙の集計作業を円滑に行うことができる。
【００３０】
図１は、本実施例の投票用紙集計システムの外観構成を端的に示す説明図、図２は、投票用紙集計装置内部のメカ機構を端的に示す説明図である。
【実施例】
【００３１】
図１に示す投票用紙集計システム１は、投票用紙の種別に応じて、投票用紙を分類集積する計４個のスタッカ１４を備えた投票用紙集計装置２と、投票用紙集計装置２と連結接続すると共に、投票用紙種別に応じて投票用紙を分類集積する計８個のスタッカ１４Ａを備えた２台の増設ユニット３とを有している。
【００３２】
図２に示す投票用紙集計装置２は、複数枚の投票用紙を投入載置するホッパ部１１と、ホッパ部１１に投入載置した投票用紙を一枚ずつ繰り出す繰出部１２と、繰出部１２を通じてホッパ部１１から繰出される投票用紙を繰出方向と同一搬送方向に一枚単位で搬送する搬送部１３と、投票用紙の投票用紙種別に応じて、搬送部１３で搬送した投票用紙を分類集積するスタッカ１４とを有している。
【００３３】
また、投票用紙集計装置２は、ホッパ部１１内の投票用紙の有無を検知するホッパ用検知センサ部１５と、搬送部１３にて搬送した投票用紙の候補者記入欄の透過画像を撮像する透過センサ部１６と、スタッカ１４内の投票用紙の有無を検知するスタッカ用検知センサ部１７と、スタッカ１４内に分類集積する投票用紙の枚数を検知する枚数検知センサ部１８とを有している。
【００３４】
図３は、投票用紙の表面を示す説明図である。
【００３５】
図３に示す投票用紙１００の表面には、有権者等が候補者名を記入するための候補者記入欄１０１を備えている。
【００３６】
また、図４は、投票用紙集計装置２内部の概略構成を示すブロック図である。
【００３７】
図４に示す投票用紙集計装置２は、繰出部１２、搬送部１３、ホッパ用検知センサ部１５、透過センサ部１６、スタッカ用検知センサ部１７及び枚数検知センサ部１８等のメカ機構２１と、メカ機構２１内の搬送部１３及び繰出部１２等を駆動制御する駆動制御部２２と、透過センサ部１６にて撮像した投票用紙の候補者記入欄の透過画像に基づき透過画像情報を取得する透過画像情報取得部２３と、様々な情報を記憶する記憶部２４と、投票用紙集計装置２全体を制御する制御部２５とを有している。
【００３８】
記憶部２４は、候補者毎に、投票用紙種別を識別する４種類の文字パターンを記憶するパターン記憶部２４Ａと、投票用紙種別毎に投票用紙を分類集積するスタッカ１４，１４Ａを管理するスタッカ管理記憶部２４Ｂとを有している。
【００３９】
図５は、パターン記憶部２４Ａに記憶中の候補者の４種類の文字パターンを端的に示す説明図である。
【００４０】
図５に示す文字パターンとしては、例えば、候補者名を「福田康夫」とした場合、候補者名の文字パターン（天）５０Ａと、候補者名の文字パターン(地)５０Ｂと、候補者名の逆さ文字パターン(天)５０Ｃと、候補者名の逆さ文字パターン(地)５０Ｄとの４種類がある。尚、候補者記入欄１０１の上端を「天」、候補者記入欄１０１の下端を「地」に相当するものである。
【００４１】
図４に示す透過画像情報取得部２３は、投票用紙１００の表面を表向きにしたまま、その投票用紙１００を搬送部１３の搬送路上に搬送した場合、投票用紙１００の候補者記入欄１０１表面の透過画像情報を取得すると共に、投票用紙１００の表面を裏向きにしたまま、その投票用紙１００を搬送路上に搬送した場合、投票用紙１００の候補者記名欄１０１裏面の透過画像情報を取得するものである。
【００４２】
また、制御部２５は、透過画像情報取得部２３にて取得した透過画像情報に基づき、投票用紙１００の投票用紙種別を識別する投票用紙種別識別部２５Ａと、スタッカ１４，１４Ａ毎に、枚数検知センサ部１８を通じて、分類集積する投票用紙１００の枚数を集計する票数集計部２５Ｂと、規定外の投票用紙１００をリジェクト票として識別するリジェクト識別部２５Ｃとを有している。
【００４３】
投票用紙種別識別部２５Ａは、透過画像情報内を文字認識する文字認識部２５Ｄを有し、その文字認識結果内にパターン記憶部２４Ａに記憶中の候補者名の文字パターン(天)５０Ａがある場合、その投票用紙１００の投票用紙種別を候補者の候補者有効表票(天)として識別するものである。尚、候補者有効表票は、投票用紙１００表面を表向きのまま搬送路上を搬送した投票用紙１００に相当するものである。
【００４４】
また、投票用紙種別識別部２５Ａは、透過画像情報の文字認識結果内にパターン記憶部２４Ａに記憶中の候補者名の文字パターン(地)５０Ｂがある場合、その投票用紙１００の投票用紙種別を候補者の候補者有効表票(地)として識別するものである。
【００４５】
投票用紙種別識別部２５Ａは、透過画像情報の文字認識結果内にパターン記憶部２４Ａに記憶中の候補者名の逆さ文字パターン(天)５０Ｃがある場合、その投票用紙１００の投票用紙種別を候補者の候補者有効裏票(天)として識別するものである。尚、候補者有効裏票は、投票用紙１００表面を裏向きのまま搬送路上を搬送した投票用紙１００に相当するものである。この際、投票用紙１００の候補者記入欄１０１に候補者名が記入されている場合、透過画像情報内には同候補者名の逆さ文字が透かした状態で表れることになる。
【００４６】
また、投票用紙種別識別部２５Ａは、透過画像情報の文字認識結果内にパターン記憶部２４Ａに記憶中の候補者名の逆さ文字パターン(地)５０Ｄがある場合、その投票用紙１００の投票用紙種別を候補者の候補者有効裏票(地)として識別するものである。
【００４７】
また、投票用紙種別識別部２５Ａは、透過画像情報の文字認識結果内に候補者名の文字パターン又は逆さ文字パターンがないものの、何等かの文字がある場合、その投票用紙１００の投票用紙種別を疑問票として識別するものである。
【００４８】
また、投票用紙種別識別部２５Ａは、透過画像情報の文字認識結果内に候補者名の文字パターン又は逆さ文字パターンがなく、しかも、何等かの文字がない場合、その投票用紙１００の投票用紙種別を白票として識別するものである。
【００４９】
尚、駆動制御部２２は、増設ユニット３内部のスタッカ１４Ａに投票用紙１００を分類集積する際、投票用紙集計装置２内の搬送部１３と増設ユニット３内部の図示せぬ搬送部とを駆動制御し、投票用紙１００を増設ユニット３内のスタッカ１４Ａに搬送することも可能である。
【００５０】
図６は、スタッカ単位で管理する投票用紙種別内容を端的に示す説明図である。
【００５１】
スタッカ管理記憶部２４Ｂでは、投票用紙集計装置２内部のスタッカ１４を第１〜第４スタッカ、増設ユニット３内部のスタッカ１４Ａを第５〜第１２スタッカ、増設ユニット３内部のスタッカ１４Ａを第１３〜第２０スタッカに割当設定するものである。
【００５２】
スタッカ管理記憶部２４Ｂでは、図６に示すように、第１スタッカをリジェクト票、第２スタッカを候補者Ａの候補者Ａ有効表票（天）、第３スタッカを候補者Ａの候補者Ａ有効表票（地）、第４スタッカを候補者Ａの候補者Ａ有効裏票（天）、第５スタッカを候補者Ａの候補者Ａ有効裏票（地）、第６スタッカを候補者Ｂの候補者Ｂ有効表票（天）、第７スタッカを候補者Ｂの候補者Ｂ有効表票（地）、第８スタッカを候補者Ｂの候補者Ｂ有効裏票（天）、第９スタッカを候補者Ｂの候補者Ｂ有効裏票（地）に割当設定するものである。
【００５３】
また、スタッカ管理記憶部２４Ｂでは、第１０スタッカを候補者Ｃの候補者Ｃ有効表票（天）、第１１スタッカを候補者Ｃの候補者Ｃ有効表票（地）、第１２スタッカを候補者Ｃの候補者Ｃ有効裏票（天）、第１３スタッカを候補者Ｃの候補者Ｃ有効裏票（地）、第１４スタッカを候補者Ｄの候補者Ｄ有効表票（天）、第１５スタッカを候補者Ｄの候補者Ｄ有効表票（地）、第１６スタッカを候補者Ｄの候補者Ｄ有効裏票（天）、第１７スタッカを候補者Ｄの候補者Ｄ有効裏票（地）、第１８スタッカを白票、第１９スタッカ及び第２０スタッカを疑問票に割当設定するものである。
【００５４】
また、制御部２５は、例えば、投票用紙種別識別部２５Ａにて候補者Ｂの候補者Ｂ有効表票(天)を識別すると、スタッカ管理記憶部２４Ｂに記憶中の候補者Ｂの候補者Ｂ有効表票（天）に対応する第６スタッカに、その候補者Ｂ有効表票（天）の投票用紙１００を分類集積すべく、駆動制御部２２を通じて搬送部１３を駆動制御すると共に、票数集計部２５Ｂを通じて第６スタッカ内の投票用紙１００の枚数を＋１インクリメントするものである。
【００５５】
また、制御部２５は、例えば、投票用紙種別識別部２５Ａにて候補者Ｄの候補者Ｄ有効表票(地)を識別すると、スタッカ管理記憶部２４Ｂに記憶中の候補者Ｄの候補者Ｄ有効表票（地）に対応する第１５スタッカに、その候補者Ｄ有効表票（地）の投票用紙１００を分類集積すべく、駆動制御部２２を通じて搬送部１３を駆動制御すると共に、票数集計部２５Ｂを通じて第１５スタッカ内の投票用紙１００の枚数を＋１インクリメントするものである。
【００５６】
また、制御部２５は、例えば、投票用紙種別識別部２５Ａにて候補者Ａの候補者Ａ有効裏票(天)を識別すると、スタッカ管理記憶部２４Ｂに記憶中の候補者Ａの候補者Ａ有効裏票（天）に対応する第４スタッカに、その候補者Ａ有効裏票（天）の投票用紙１００を分類集積すべく、駆動制御部２２を通じて搬送部１３を駆動制御すると共に、票数集計部２５Ｂを通じて第４スタッカ内の投票用紙１００の枚数を＋１インクリメントするものである。
【００５７】
また、制御部２５は、例えば、投票用紙種別識別部２５Ａにて候補者Ｂの候補者Ｂ有効裏票(地)を識別すると、スタッカ管理記憶部２４Ｂに記憶中の候補者Ｂの候補者Ｂ有効裏票（地）に対応する第９スタッカに、その候補者Ｂ有効裏票（地）の投票用紙１００を分類集積すべく、駆動制御部２２を通じて搬送部１３を駆動制御すると共に、票数集計部２５Ｂを通じて第９スタッカ内の投票用紙１００の枚数を＋１インクリメントするものである。
【００５８】
また、制御部２５は、例えば、投票用紙種別識別部２５Ａにて疑問票を識別すると、スタッカ管理記憶部２４Ｂに記憶中の疑問票に対応する第１９スタッカ又は第２０スタッカに、疑問票の投票用紙１００を分類集積すべく、駆動制御部２２を通じて搬送部１３を駆動制御すると共に、票数集計部２５Ｂを通じて第１９スタッカ又は第２０スタッカ内の投票用紙１００の枚数を＋１インクリメントするものである。
【００５９】
また、制御部２５は、例えば、投票用紙種別識別部２５Ａにて白票を識別すると、スタッカ管理記憶部２４Ｂに記憶中の白票に対応する第１８スタッカに、その白票の投票用紙１００を分類集積すべく、駆動制御部２２を通じて搬送部１３を駆動制御すると共に、票数集計部２５Ｂを通じて第１８スタッカ内の投票用紙１００の枚数を＋１インクリメントするものである。
【００６０】
また、制御部２５は、リジェクト識別部２５Ｃにて規定外の投票用紙を検出すると、その規定外の投票用紙１００をリジェクト票と判断し、そのリジェクト票に対応する第１スタッカに投票用紙１００を分類集積すべく、駆動制御部２２を通じて搬送部１３を駆動制御すると共に、票数集計部２５Ｂを通じて第１スタッカ内の投票用紙１００の枚数を＋１インクリメントするものである。
【００６１】
尚、ここまで実施例の構成について説明したが、その実施例の構成要件と請求項記載の構成要件との対応関係を説明すると、紙葉類処理装置は投票用紙集計装置２、紙葉類は投票用紙１００、透過画像情報取得手段は透過センサ部１６及び透過画像情報取得部２３、紙葉類表面情報は文字パターン５０Ａ、５０Ｂ、紙葉類裏面情報は逆さ文字パターン５０Ｃ，５０Ｄ、紙葉類情報記憶手段はパターン記憶部２４Ａ、紙葉類種別識別手段は投票用紙種別識別部２５Ａ、文字認識手段は文字認識部２５Ｄ、搬送手段は搬送部１３、集積手段はスタッカ１４，１４Ａ、駆動制御手段は駆動制御部２２に対応するものである。
【００６２】
次に、本実施例の投票用紙集計システム１の動作について説明する。図７は、投票用紙分類処理に関わる投票用紙集計装置２内部の制御部２５の処理動作を示すフローチャートである。
【００６３】
図７に示す投票用紙分類処理は、投票用紙１００の候補者記入欄１０１の透過画像情報に基づき、投票用紙１００の投票用紙種別を識別し、この識別した投票用紙１００を分類集積すると共に、その候補者の投票用紙１００の枚数を集計する処理である。
【００６４】
例えば、作業者は、選挙区の投票箱を回収し、その投票箱から投票用紙１００を開披し、これら複数の投票用紙１００を投票用紙集計装置２のホッパ部１１に投入載置する。尚、この際、作業者は、開披した投票用紙１００を天地は勿論のこと、表裏を揃えることなく、これら投票用紙１００をホッパ部１１に投入載置するものである。
【００６５】
投票用紙集計装置２内の駆動制御部２２は、ホッパ部１１から繰出部１２を通じて一枚単位で搬送路上に繰り出す。
【００６６】
図７において投票用紙集計装置２の制御部２５内のリジェクト識別部２５Ｃは、搬送路上の投票用紙が規定の投票用紙１００であるか否かを判定する(ステップＳ１１)。
【００６７】
制御部２５は、投票用紙が規定の投票用紙１００である場合(ステップＳ１１肯定)、透過画像情報取得部２３を通じて、搬送路上に繰り出した投票用紙１００上の候補者記入欄１０１の透過画像情報を取得する(ステップＳ１２)。
【００６８】
制御部２５内部の投票用紙種別識別部２５Ａは、透過画像情報内を文字認識し、その文字認識結果内にパターン記憶部２４Ａに記憶中の候補者名の文字パターン(天又は地)５０Ａ又は５０Ｂがあるか否かを判定する(ステップＳ１３)。
【００６９】
投票用紙種別識別部２５Ａは、透過画像情報の文字認識結果内に候補者名の文字パターン(天又は地)５０Ａ又は５０Ｂがある場合(ステップＳ１３肯定)、その投票用紙種別を識別し(ステップＳ１４)、駆動制御部２２を通じて、その投票用紙種別に対応したスタッカ１４（１４Ａ）に投票用紙１００を分類集積する(ステップＳ１５)。
【００７０】
尚、投票用紙種別識別部２５Ａでは、透過画像情報の文字認識結果内に文字パターン(天)５０Ａがある場合、投票用紙種別を候補者有効表票（天）として識別すると共に、透過画像情報の文字認識結果内に文字パターン(地)５０Ｂがある場合、投票用紙種別を候補者有効表票(地)として識別するものである。
【００７１】
制御部２５内部の票数集計部２５Ｂは、投票用紙種別に対応したスタッカ１４（１４Ａ）に投票用紙１００を分類集積すると、その投票用紙種別に応じて票数を＋１インクリメントし(ステップＳ１６)、図７に示す処理動作を終了する。
【００７２】
また、投票用紙種別識別部２５Ａは、透過画像情報の文字認識結果内に候補者名の文字パターン(天又は地)５０Ａ又は５０Ｂがない場合(ステップＳ１３否定)、透過画像情報の文字認識結果内に候補者名の逆さ文字パターン(天又は地)５０Ｃ又は５０Ｄがあるか否かを判定する(ステップＳ１７)。
【００７３】
投票用紙種別識別部２５Ａは、透過画像情報の文字認識結果内に候補者名の逆さ文字パターン(天又は地)５０Ｃ又は５０Ｄがある場合（ステップＳ１７肯定）、その投票用紙種別を識別し（ステップＳ１８）、駆動制御部２２を通じて、その投票用紙種別に対応したスタッカ１４（１４Ａ）に投票用紙１００を分類集積する(ステップＳ１９)。
【００７４】
尚、投票用紙種別識別部２５Ａでは、透過画像情報の文字認識結果内に逆さ文字パターン(天)５０Ｃがある場合、投票用紙種別を候補者有効裏票（天）として識別すると共に、透過画像情報の文字認識結果内に逆さ文字パターン(地)５０Ｄがある場合、投票用紙種別を候補者有効裏票(地)として識別するものである。
【００７５】
票数集計部２５Ｂは、投票用紙種別に対応したスタッカ１４（１４Ａ）に投票用紙１００を分類集積すると、その投票用紙種別に応じて票数を＋１インクリメントし(ステップＳ２０)、図７に示す処理動作を終了する。
【００７６】
また、投票用紙種別識別部２５Ａは、透過画像情報の文字認識結果内に候補者名の逆さ文字パターン５０Ｃ又は５０Ｄがない場合（ステップＳ１７否定）、透過画像情報の文字認識結果内に文字があるか否かを判定する(ステップＳ２１)。
【００７７】
投票用紙種別識別部２５Ａは、透過画像情報の文字認識結果内に文字がある場合(ステップＳ２１肯定)、その投票用紙種別を疑問票として識別し(ステップＳ２２)、駆動制御部２２を通じて、疑問票に対応したスタッカ１４（１４Ａ）に投票用紙１００を分類集積する(ステップＳ２３)。
【００７８】
票数集計部２５Ｂは、疑問票に対応したスタッカ１４（１４Ａ）に投票用紙１００を分類集積すると、その疑問票に応じて票数を＋１インクリメントし(ステップＳ２４)、図７に示す処理動作を終了する。
【００７９】
また、投票用紙種別識別部２５Ａは、透過画像情報の文字認識結果内に文字がない場合(ステップＳ２１否定)、透過画像情報の文字認識結果内が空欄と判断し、その投票用紙種別を白票として識別し（ステップＳ２５）、駆動制御部２２を通じて、白票に対応したスタッカ１４（１４Ａ）に投票用紙１００を分類集積する(ステップＳ２６)。
【００８０】
票数集計部２５Ｂは、白票に対応したスタッカ１４（１４Ａ）に投票用紙１００を分類集積すると、その白票に応じて票数を＋１インクリメントし(ステップＳ２７)、図７に示す処理動作を終了する。
【００８１】
また、リジェクト識別部２５Ｃは、搬送路上の投票用紙が規定の投票用紙１００でない場合(ステップＳ１１否定)、その規定外の投票用紙と判断し、その投票用紙種別をリジェクト票として識別し(ステップＳ２８)、駆動制御部２２を通じて、リジェクト票に対応したスタッカ１４（１４Ａ）に、そのリジェクト票を分類集積する(ステップＳ２９)。
【００８２】
票数集計部２５Ｂは、リジェクト票に対応したスタッカ１４（１４Ａ）にリジェクト票を分類集積すると、そのリジェクト票に応じて票数を＋１インクリメントし(ステップＳ３０)、図７に示す処理動作を終了する。
【００８３】
図７に示す投票用紙分類処理では、投票用紙１００の候補者記入欄１０１の透過画像情報の文字認識結果内に候補者名の文字パターン（天）５０Ａ又は文字パターン（地）５０Ｂがある場合、その候補者名の候補者有効表票(天)又は候補者有効表票(地)に対応するスタッカ１４（１４Ａ）に、その投票用紙を分類集積すると共に、その候補者の票数を＋１インクリメントする。
【００８４】
また、投票用紙分類処理では、投票用紙１００の候補者記入欄１０１の透過画像情報の文字認識結果内に候補者名の逆さ文字パターン（天）５０Ｃ又は逆さ文字パターン（地）５０Ｄがある場合、その候補者名の候補者有効裏票(天)又は候補者有効裏票(地)に対応するスタッカ１４（１４Ａ）に、その投票用紙１００を分類集積すると共に、その候補者の票数を＋１インクリメントする。
【００８５】
また、投票用紙分類処理では、投票用紙１００の候補者記入欄１０１の透過画像情報の文字認識結果内に候補者名の文字パターン５０Ａ，５０Ｂ及び逆さ文字パターン５０Ｃ，５０Ｄ以外の文字がある場合、疑問票と判断し、その疑問票に対応するスタッカ１４（１４Ａ）に、その疑問票の投票用紙１００を分類集積すると共に、その疑問票の票数を＋１インクリメントする。
【００８６】
また、投票用紙分類処理では、投票用紙１００の候補者記入欄１０１の透過画像情報の文字認識結果内に文字がない場合、白票と判断し、その白票に対応するスタッカ１４（１４Ａ）に、その白票の投票用紙１００を分類集積すると共に、その白票の票数を＋１インクリメントする。
【００８７】
また、投票用紙分類処理では、投票用紙１００が規定の投票用紙以外の用紙の場合、リジェクト票と判断し、そのリジェクト票に対応するスタッカ１４（１４Ａ）に、そのリジェクト票の投票用紙１００を分類集積すると共に、そのリジェクト票の票数を＋１インクリメントする。
【００８８】
本実施例では、投票用紙１００の候補者記入欄の透過画像情報を取得し、その透過画像情報の文字認識結果内に候補者名の文字パターン５０Ａ，５０Ｂ又は逆さ文字パターン５０Ｃ，５０Ｄがある場合、その投票用紙１００の投票用紙種別、例えば、候補者名を識別するようにしたので、投票用紙１００の天地は勿論のこと、投票用紙１００の表裏を揃える作業を要することなく、しかも、部品コストの抑制及び処理負担の軽減を図りながら、投票用紙１００が裏返しのままで搬送されたとしても、投票用紙１００の投票用紙種別を識別することができる。さらに、その結果、投票用紙種別に応じたスタッカ１４，１４Ａに、その投票用紙１００を分類集積すると共に、その投票用紙１００を集計することができる。
【００８９】
また、本実施例では、同一候補者の投票用紙１００であっても、候補者有効表票（天）、候補者有効表票（地）、候補者有効裏票（天）及び候補者有効裏票（地）を別個のスタッカ１４（１４Ａ）に分類集積することで、同一候補者の表裏天地の分別点検の作業負担を軽減することができる。
【００９０】
また、本実施例では、搬送路上の投票用紙１００の候補者記入欄１０１の透過画像を撮像する透過センサ部１６を配置したので、両面センサを使用した場合に比較して、高価な受光素子の個数も減らすことができるため、部品コストを大幅に抑制することができると共に、その処理負担を大幅に軽減することができる。
【００９１】
尚、上記実施例では、投票用紙集計装置２側に投票用紙種別識別部２５Ａ及びパターン記憶部２４Ａを配置し、投票用紙集計装置２内部の制御部２５側で投票用紙分類処理を実行するようにしたが、例えば、投票用紙集計装置２及び増設ユニット３全体を監視制御するパソコン等の監視制御装置を投票用紙集計装置２に接続し、この監視制御装置側で投票用紙分類処理に関わる処理動作を実行し、その処理内容に基づき投票用紙１００の分類集積及び集計を投票用紙集計装置２及び増設ユニット３に指示するようにしても同様の効果が得られることは言うまでもない。
【００９２】
また、上記実施例では、同一候補者の投票用紙１００であっても、候補者有効表票（天）、候補者有効表票（地）、候補者有効裏票（天）及び候補者有効裏票（地）の場合、これら投票用紙種別毎に別個のスタッカ１４（１４Ａ）に分類集積するようにしたが、これら候補者有効表票（天）、候補者有効表票（地）、候補者有効裏票（天）及び候補者有効裏票（地）であっても同一候補者の投票用紙１００の場合、同一候補者の投票用紙を同一スタッカ１４（１４Ａ）に分類集積するようにしても、同様の効果が得られることは言うまでもない。
【００９３】
また、上記実施例では、透過画像情報内を文字認識し、その文字認識結果内に逆さ文字パターン５０Ｃ（５０Ｄ）がある場合、逆さ文字パターン５０Ｃ（５０Ｄ）に基づき、投票用紙１００の投票用紙種別を候補者有効裏票として識別するようにしたが、候補者種別毎に文字パターン５０Ａ（５０Ｂ）のみをパターン記憶部２４Ａに記憶しておき、文字認識結果内に文字パターン５０Ａ（５０Ｂ）がない場合、文字認識結果内の文字を反転し、反転した文字が文字パターン５０Ａ（５０Ｂ）に該当する場合は候補者有効裏票と識別するようにしても良いことは言うまでもない。
【００９４】
また、上記実施例では、透過画像情報内を文字認識し、その文字認識結果内に文字パターン５０Ａ（５０Ｂ）又は逆さ文字パターン５０Ｃ（５０Ｄ）がある場合、文字パターン５０Ａ（５０Ｂ）又は逆さ文字パターン５０Ｃ（５０Ｄ）に基づき、投票用紙１００の投票用紙種別を識別するようにしたが、文字認識を要することなく、透過画像情報内に文字パターン５０Ａ（５０Ｂ）又は逆さ文字パターン５０Ｃ（５０Ｄ）に近似するパターンがある場合、文字パターン５０Ａ（５０Ｂ）又は逆さ文字パターン５０Ｃ（５０Ｄ）に基づき、投票用紙１００の投票用紙種別を識別するようにしても良い。
【００９５】
また、上記実施例では、紙葉類として投票用紙を例に挙げて説明したが、投票用紙に限定されるものではなく、例えば、紙幣や商品券等の紙葉類についても適用可能であることは言うまでもない。
【００９６】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【００９７】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【００９８】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【００９９】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１００】
以上のように、本発明にかかる紙葉類処理装置は、紙葉類の透過画像情報内に紙葉類表面情報がある場合、紙葉類表面情報に基づき、その紙葉類の種別を識別すると共に、紙葉類の透過画像情報内に紙葉類裏面情報がある場合、紙葉類裏面情報に基づき、その紙葉類の種別を識別するようにしたので、紙葉類の表裏を揃える作業を要することなく、透過画像情報から紙葉類の種別を識別し、その紙葉類を分類集積する紙葉類分類集積装置に有用であり、特に、投票用紙を集計する投票用紙集計装置に適している。
【図面の簡単な説明】
【０１０１】
【図１】本実施例の投票用紙集計システムの外観構成を端的に示す説明図である。
【図２】投票用紙集計装置内部のメカ機構を端的に示す説明図である。
【図３】投票用紙の表面を示す説明図である。
【図４】投票用紙集計装置内部の概略構成を示すブロック図である。
【図５】パターン記憶部に記憶中の候補者の４種類の文字パターンを端的に示す説明図である。
【図６】スタッカ単位で管理する投票用紙種別内容を端的に示す説明図である。
【図７】投票用紙分類処理に関わる投票用紙集計装置内部の制御部の処理動作を示すフローチャートである。
【符号の説明】
【０１０２】
１  投票用紙集計システム
２  投票用紙集計装置
３  増設ユニット
１３  搬送部
１４，１４Ａ  スタッカ
１６  透過センサ部
２２  駆動制御部
２３  透過画像情報取得部
２４Ａ  パターン記憶部
２５Ａ  投票用紙種別識別部
２５Ｄ  文字認識部
５０Ａ、５０Ｂ  文字パターン
５０Ｃ、５０Ｄ  逆さ文字パターン
１００  投票用紙
【図１】
2010122744.tif 000003
【図２】
2010122744.tif 000004
【図３】
2010122744.tif 000005
【図４】
2010122744.tif 000006
【図５】
2010122744.tif 000007
【図６】
2010122744.tif 000008
【図７】
2010122744.tif 000009